(57)【要約】【課題】耐熱性、絶縁性及び吸湿性を有する基材が用いられているにも関わらず急速な昇温が可能なヒーターを提供する。【解決手段】ヒーター１００は、基材１１０と、基材１１０上に設けられた通電によって発熱する発熱体１６０とを有する。基材１１０は、例えばポリイミド製であり、耐熱性、絶縁性及び吸湿性を有する。基材１１０には、複数の貫通孔１２０が設けられている。ポリイミドの基材１１０に貫通孔１２０が設けられていることで、発熱体１６０の急激な昇温により基材１１０中の水分が気化したとしても、気化した蒸気は貫通孔１２０より抜けるため、気化膨張により形成される空間は小さく抑えられる。その結果、空間形成による局所的な断熱効果による発熱体１６０の破断や、基材１１０の変形によるヒーター１００の制御の不安定化が防止され得る。【選択図】図６Ａ
2015179600.tif 000002
【特許請求の範囲】
【請求項１】
耐熱性、絶縁性及び吸湿性を有する基材と、
前記基材上に設けられた通電によって発熱する発熱体と
を具備し、
前記基材の前記発熱体が設けられている部位には、前記基材の一部が切欠された複数の切欠部位が設けられているヒーター。
【請求項２】
前記切欠部位は、貫通孔又はくぼみである、請求項１に記載のヒーター。
【請求項３】
前記貫通孔又はくぼみの前記基材の面方向の最大寸法は、前記発熱体の線幅未満である、請求項２に記載のヒーター。
【請求項４】
前記基材の面方向における前記貫通孔又はくぼみの中心間ピッチは、前記発熱体の線幅以下である、請求項２又は３に記載のヒーター。
【請求項５】
前記基材の面方向における前記貫通孔又はくぼみの形状は円形である、請求項２乃至４のうち何れか１項に記載のヒーター。
【請求項６】
前記基材の面方向における前記貫通孔又はくぼみの形状は十字形である、請求項２乃至４のうち何れか１項に記載のヒーター。
【請求項７】
前記基材の面方向における前記貫通孔又はくぼみの形状は略四角形である、請求項２乃至４のうち何れか１項に記載のヒーター。
【請求項８】
前記切欠部位は、溝である、請求項１に記載のヒーター。
【請求項９】
前記溝の幅は、前記発熱体の線幅未満である、請求項８に記載のヒーター。
【請求項１０】
前記溝は、１方向に平行に配列されている、請求項８又は９に記載のヒーター。
【請求項１１】
前記溝は、２方向に配列されている、請求項８又は９に記載のヒーター。
【請求項１２】
前記基材は、再成形することなく曲面を形成可能な柔軟性を有した材料で形成されている、請求項１乃至１１のうち何れか１項に記載のヒーター。
【請求項１３】
耐熱性、絶縁性及び吸湿性を有する基材と、前記基材上に設けられた通電によって発熱する発熱体とを備え、前記基材の前記発熱体が設けられている部位には、前記基材の一部が切欠された複数の切欠部位が設けられているヒーターと、
前記ヒーターによって加熱され、生体組織と接触して前記生体組織を処置する作用部と
を具備する治療用処置装置。
【請求項１４】
少なくとも一方が他方に対して移動して、前記生体組織を把持する一対の把持部材をさらに具備し、
前記作用部は、一対の前記把持部材のうち少なくとも何れか一方に設けられている、
請求項１３に記載の治療用処置装置。
【発明の詳細な説明】
【技術分野】
【０００１】
本発明は、ヒーター及びそれを備えた治療用処置装置に関する。
【背景技術】
【０００２】
一般に、ポリイミド等の樹脂製の基板上に電気抵抗発熱体が形成されたヒーターが知られている。このようなヒーターの一例が特許文献１に開示されている。ポリイミドは、耐熱性があり、値段が安く、柔軟性も有しているため、長所が多い材料である。
【０００３】
しかしながら、例えばポリイミドは、吸湿性を有している。このため、発熱体によってポリイミドの基板が急激に熱せられると、基板に含まれる水分が気化膨張し、その結果ヒーターが故障等するおそれがある。
【先行技術文献】
【特許文献】
【０００４】
【特許文献１】特開２００５−０２６１８５号公報
【発明の概要】
【発明が解決しようとする課題】
【０００５】
本発明は、耐熱性、絶縁性及び吸湿性を有する基材が用いられているにも関わらず急速な昇温が可能なヒーター及びそれを備えた治療用処置装置を提供することを目的とする。
【課題を解決するための手段】
【０００６】
前記目的を果たすため、本発明の一態様によれば、ヒーターは、耐熱性、絶縁性及び吸湿性を有する基材と、前記基材上に設けられた通電によって発熱する発熱体とを具備し、前記基材の前記発熱体が設けられている部位には、前記基材の一部が切欠された複数の切欠部位が設けられている。
【０００７】
また、本発明の一態様によれば、治療用処置装置は、耐熱性、絶縁性及び吸湿性を有する基材と、前記基材上に設けられた通電によって発熱する発熱体とを備え、前記基材の前記発熱体が設けられている部位には、前記基材の一部が切欠された複数の切欠部位が設けられているヒーターと、前記ヒーターによって加熱され、生体組織と接触して前記生体組織を処置する作用部とを具備する。
【発明の効果】
【０００８】
本発明によれば、耐熱性、絶縁性及び吸湿性を有する基材が用いられているにも関わらず急速な昇温が可能なヒーター及びそれを備えた治療用処置装置を提供できる。
【図面の簡単な説明】
【０００９】
【図１】本発明の一実施形態に係る治療用処置装置の構成例の概略を示す図。
【図２】一実施形態に係る治療用処置装置の把持部の構成例の概略を示す図。
【図３】一実施形態の作用部の形状の一例の概略を示す図。
【図４】一実施形態の係るヒーターの構成例の概略を示す側面図。
【図５】一実施形態に係る基材の構成例の概略を示す平面図。
【図６Ａ】一実施形態に係るヒーターの構成例の概略を示す表側からみた平面図。
【図６Ｂ】一実施形態に係るヒーターの構成例の概略を示す断面図。
【図６Ｃ】一実施形態に係るヒーターの構成例の概略を示す裏側からみた平面図。
【図７Ａ】一実施形態の効果について説明するための図であり、基材に貫通孔が設けられていない場合を示す模式図。
【図７Ｂ】一実施形態の効果について説明するための図であり、基材に貫通孔が設けられていない場合を示す模式図。
【図７Ｃ】一実施形態の効果について説明するための図であり、基材に貫通孔が設けられていない場合を示す模式図。
【図８Ａ】一実施形態に係る発熱体の線幅と貫通孔の大きさ及びピッチとの関係を説明するための図。
【図８Ｂ】一実施形態に係る発熱体の線幅と貫通孔の大きさとの関係を説明するための図。
【図９】変形例に係る基材の構成例の概略を示す平面図。
【図１０】変形例に係る基材の構成例の概略を示す平面図。
【図１１】変形例に係るヒーターの構成例の概略を示す平面図。
【図１２Ａ】変形例に係る基材の構成例の概略を示す平面図。
【図１２Ｂ】変形例に係るヒーターの構成例の概略を示す平面図。
【図１３Ａ】一実施形態に係るヒーターの構成例の概略を示す表側からみた平面図。
【図１３Ｂ】一実施形態に係るヒーターの構成例の概略を示す断面図。
【図１３Ｃ】一実施形態に係るヒーターの構成例の概略を示す裏側からみた平面図。
【図１４Ａ】変形例に係る基材の構成例の概略を示す平面図。
【図１４Ｂ】変形例に係る基材の構成例の概略を示す平面図。
【図１４Ｃ】変形例に係る基材の構成例の概略を示す平面図。
【図１５】変形例に係る治療用処置装置の把持部の構成例の概略を示す図。
【図１６】変形例に係る作用部の形状の一例の概略を示す図。
【図１７】変形例に係る治療用処置装置の把持部の構成例の概略を示す図。
【図１８】変形例に係る作用部の形状の一例の概略を示す図。
【発明を実施するための形態】
【００１０】
［第１の実施形態］
本発明の第１の実施形態について図面を参照して説明する。本実施形態に係る治療用処置装置３００の外観の概略を図１に示す。治療用処置装置３００は、生体組織の治療に用いるための装置であり、例えば血管や腸管を切離したり切開したり、封止したり、吻合したりする処置に用いられる。治療用処置装置３００は、生体組織に熱エネルギを作用させることで処置を行う。図１に示すように、治療用処置装置３００は、処置具３１０と、制御装置３７０と、フットスイッチ３８０とを備えている。
【００１１】
処置具３１０は、例えば腹壁を貫通させて処置を行うための、リニアタイプの外科治療用処置具である。処置具３１０は、ハンドル３５０と、ハンドル３５０に取り付けられたシャフト３４０と、シャフト３４０の先端に設けられた把持部３２０とを有する。把持部３２０は、開閉可能であり、処置対象である生体組織を把持して、生体組織の凝固、切開等の処置を行う処置部である。以降説明のため、把持部３２０側を先端側と称し、ハンドル３５０側を基端側と称する。ハンドル３５０は、把持部３２０を操作するための複数の操作ノブ３５２を備えている。
【００１２】
なお、ここで示した処置具３１０の形状は、もちろん一例であり、同様の機能を有していれば、他の形状でもよい。例えば、シャフトは湾曲していてもよい。また、本実施形態に係る技術は、図１に示すような硬性鏡手術に用いられる治療用処置装置に限らず、軟性内視鏡を用いた内視鏡手術に用いられるような治療用処置装置にも適用され得る。
【００１３】
ハンドル３５０は、ケーブル３６０を介して制御装置３７０に接続されている。ここで、ケーブル３６０と制御装置３７０とは、コネクタ３６５によって接続されており、この接続は着脱自在となっている。すなわち、治療用処置装置３００は、処置毎に処置具３１０を交換することができるように構成されている。制御装置３７０には、フットスイッチ３８０が接続されている。足で操作するフットスイッチ３８０は、手で操作するスイッチやその他のスイッチに置き換えてもよい。フットスイッチ３８０のペダルを術者が操作することにより、制御装置３７０から処置具３１０へのエネルギの供給のＯＮ／ＯＦＦが切り換えられる。
【００１４】
把持部３２０の概略を図２に示す。この図に示すように、把持部３２０は、第１のジョー３２２と第２のジョー３２４とを有する。第２のジョー３２４は、その基端側でシャフト３４０に対して固定されている。第１のジョー３２２は、その基端側に設けられた支持ピン３４２を軸として回転し、第１のジョー３２２に対して変位し得る。第１のジョー３２２はハンドル３５０の操作ノブ３５２と接続されており、操作ノブ３５２の変位に応じて第１のジョー３２２は第２のジョー３２４に対して開いたり閉じたりする。第１のジョー３２２と第２のジョー３２４とによって、処置対象である生体組織は把持される。
【００１５】
第１のジョー３２２と第２のジョー３２４とには、処置部２５０が設けられている。第１のジョー３２２に設けられた処置部２５０と第２のジョー３２４に設けられた処置部２５０とは、対称な構造を有している。処置部２５０の処置対象である生体組織と接する側には、作用部２２０が設けられている。作用部２２０は、例えば銅やステンレス等の金属で形成されている。本実施形態では、作用部２２０は、図３に平面図、側面図及び前面図を示すように、平板形状をしている。
【００１６】
図２に示すように、作用部２２０の生体組織と接する面と反対側の面には、絶縁性及び接着性を有する接着絶縁層２１０によって、ヒーター１００が接合されている。ヒーター１００には、ヒーター１００に電力を供給するための電線３４４が接続されている。ヒーター１００は、基材１１０と、発熱体１６０とを含む。ヒーター１００によって発生した熱は、接着絶縁層２１０を介して作用部２２０に伝達される。この熱によって作用部２２０は高温になり、第１のジョー３２２の作用部２２０と第２のジョー３２４の作用部２２０とに挟まれた生体組織は例えば切離される。
【００１７】
ヒーター１００について詳述する。図４に側面図を示すように、ヒーター１００では、基材１１０上に発熱体１６０が設けられている。ここで、基材１１０は、例えばポリイミドで形成されている。この基材１１０は、容易に曲面を形成できるように、例えば厚さ１００μｍといった薄さで形成されている。基材１１０には、ポリイミドに限らず、他の樹脂材料が用いられてもよい。発熱体１６０は、例えばＳＵＳ３０４といった金属薄膜で形成されている。発熱体１６０は、電気抵抗を有し通電によって発熱する。発熱体１６０の厚さは例えば２０μｍである。以降、説明のため、基材１１０の発熱体１６０が形成されている側を表側と称し、反対側を裏側と称することにする。
【００１８】
発熱体１６０の表側の面には、例えばアルミナ、シリカ等のセラミックや、マイカ等の鉱物や、使用温度が低い場合はポリイミド等の樹脂等で形成される絶縁層がさらに設けられてもよい。ここでは、簡単のためこの絶縁層は図示されていない。
【００１９】
基材１１０の平面図を図５に示す。この図に示すように、基材１１０には、多数の貫通孔１２０が千鳥配列状に設けられている。貫通孔１２０は、平板な基材１１０に対して、機械加工によって、或いはエッチング等の化学処理によって形成される。また、貫通孔１２０は、貫通孔を有する形状に基材１１０が成型されることによって形成されてもよい。このように、貫通孔１２０は、基材１１０の一部が切欠された複数の切欠部位に相当する。
【００２０】
ヒーター１００を表側からみた平面の模式図を図６Ａに、ヒーター１００の断面の模式図を図６Ｂに、ヒーター１００を裏側からみた平面の模式図を図６Ｃにそれぞれ示す。基材１１０の表側の主面上には、図６Ａ、図６Ｂ及び図６Ｃに示すように、発熱体１６０が形成される。発熱体１６０は、波型の細線状に形成された発熱部１６２と、発熱部１６２の基端側にある両端に設けられた幅広に形成された接続部１６４とを有する。発熱部１６２は、その線幅が例えば１００μｍであり、高電気抵抗性を有し、電流が流れたとき発熱する。接続部１６４には、電線３４４が接続される。
【００２１】
ここでは、貫通孔１２０を有する基材１１０がまず形成され、その上に発熱体１６０が形成される例を示した。しかしながらこれに限らず、例えば貫通孔１２０が形成されていない基材１１０上にまず発熱体１６０が形成され、その後に例えば機械加工やエッチング等の化学処理により貫通孔１２０が形成されてもよい。
【００２２】
次に本実施形態に係る治療用処置装置３００の動作を説明する。術者は、予め制御装置３７０の入力部を操作して、治療用処置装置３００の出力条件、例えば、熱エネルギ出力の目標温度や加熱時間等を設定しておく。治療用処置装置３００は、それぞれの値が個別に設定されるようになっていてもよいし、術式に応じた設定値のセットが選択されるようになっていてもよい。
【００２３】
処置具３１０の把持部３２０及びシャフト３４０は、例えば、腹壁を通して腹腔内に挿入される。術者は、操作ノブ３５２を操作して把持部３２０を開閉させ、第１のジョー３２２と第２のジョー３２４とによって処置対象の生体組織を把持する。このとき、第１のジョー３２２に設けられた作用部２２０と第２のジョー３２４に設けられた作用部２２０との両方に、処置対象の生体組織が接触する。
【００２４】
術者は、把持部３２０によって処置対象の生体組織を把持したら、フットスイッチ３８０を操作する。フットスイッチ３８０がＯＮに切り換えられると、制御装置３７０から、ケーブル３６０及び電線３４４を介して発熱体１６０に電力が供給される。その結果、発熱体１６０は発熱する。発熱体１６０で発生した熱は、接着絶縁層２１０を介して、作用部２２０に伝わる。その結果、作用部２２０の温度は上昇する。この熱によって作用部２２０と接触している生体組織は加熱される。このとき、作用部２２０の温度は例えば３００℃程度になる。この熱によって生体組織は切断される。また、作用部２２０の温度が、例えば２００℃程度まで上昇するように構成されてもよい。このとき、熱によって作用部２２０と接触している生体組織ではタンパク質が変性し、生体組織の封止及び接合がなされる。以上によって生体組織の処置が完了する。
【００２５】
本実施形態に係る基材１１０に設けられた貫通孔１２０の効果について説明する。基材１１０に貫通孔１２０が設けられていない場合の例を図７Ａ、７Ｂ及び７Ｃを参照して説明する。一般に、基材１１０に用いられるポリイミドは高い吸湿性を有する。例えばポリイミドは、２４時間の浸漬で１％程度の吸湿性があることが知られている。図７Ａには、基材４１０のポリイミドに含まれる水分４０２が模式的に示されている。吸湿したポリイミドが急激な温度上昇にさらされると、図７Ｂに模式的に示すように、吸湿された水分４０２は気化膨張し、ポリイミド中に空間４０４が形成される。この空間４０４の大きさは、例えば１ｍｍ程度になる。図７Ｃに示すように、この空間４０４によって、基材４１０上に形成された発熱体４６０の一部分４０６は断熱され、この一部分４０６において発熱体４６０は高温になり、溶断するおそれがある。また、ポリイミド内の水分が気化膨張すると、ポリイミドの基材４１０が変形することもあり得る。この変形の結果、基材４１０上に形成された発熱体４６０は変形し、発熱体４６０の特性が変化して所期の制御を行えなくなるおそれや、発熱体４６０が破断するおそれがある。
【００２６】
一方、本実施形態に係る基材１１０には、貫通孔１２０が設けられている。このように、ポリイミドの基材１１０に貫通孔１２０が設けられていることで、発熱体１６０の急激な昇温により基材１１０中の水分が気化したとしても、気化した蒸気は貫通孔１２０に到達すると、貫通孔１２０より抜ける。このため、気化膨張により形成される空間は小さく抑えられる。形成される空間は、貫通孔１２０の間隔にもよるが、例えば数十μｍ程度に抑えられる。その結果、空間形成による局所的な断熱効果は低減され、また、基材１１０の変形も抑えられる。以上のことから、発熱体１６０の破断や、発熱体１６０の変形による制御の不安定化は防止され得る。
【００２７】
このように、基材１１０の一部が切欠された切欠部位としての貫通孔１２０は、基材１１０のうち発熱体１６０が設けられている部位に設けられている必要がある。
【００２８】
本実施形態によれば、基材１１０の急激な昇温によって発生し得る基材１１０内の水分の気化膨張による不具合が抑制されるので、ヒーター１００には、目的の処置に必要なエネルギの投入が高速に行われ得る。その結果、治療用処置装置３００が用いられれば、処置時間の短縮が実現され得る。また、高い耐久性を有するヒーター１００及び治療用処置装置３００が提供され得る。
【００２９】
また、例えば３００℃といった高温になる部品の基材には、一般にマイカ等が用いられる。しかしながらマイカ等が用いられるとポリイミド等の樹脂製の材料を用いられる場合に比べてコストが高くなる。このことから、本実施形態によれば、高温になる素子であるにも関わらずコストを抑えたヒーター１００が提供され得る。また、ポリイミド等は、マイカ等にはない柔軟性を有している。このため、本実施形態に係るヒーター１００は、再成形することなく曲面を形成可能であり、例えば曲面に貼付されるヒーターとしても用いられ得る。
【００３０】
第１のジョー３２２や第２のジョー３２４にヒーター１００を含む処置部２５０が接合される部分では、基材１１０からの通気性が考慮されることが好ましい。すなわち、基材１１０から排出される水分が抜ける通路が確保されることが好ましい。また、第１のジョー３２２や第２のジョー３２４が基材１１０を完全に覆う必要があるときは、第１のジョー３２２や第２のジョー３２４の基材１１０と接する部位に通気性のある材料が用いられることが好ましい。このような材料としては、例えばセラミックス粒子をバインダとともに混錬した接着シート等が挙げられる。接合の際に基材１１０と他の部材とを通気性のない部材で接合しなければならないときは、この接合剤を接合部全面に塗布しないように工夫することが好ましい。
【００３１】
図８Ａに示すように、貫通孔１２０の直径４８４は、発熱体１６０の発熱部１６２における線幅４８２よりも小さいことが好ましい。また、貫通孔１２０の中心間ピッチ４８６は、発熱体１６０の発熱部１６２における線幅４８２以下であることが好ましい。なぜならば、仮に図８Ｂに示すように、発熱体１６０の線幅４８２以上の直径４８４を有する貫通孔１２０を基材１１０に一様に形成すると、発熱体１６０の一部を完全に断熱してしまうことになる。この場合、貫通孔１２０による発熱体１６０の破損防止効果が得られない可能性がある。
【００３２】
［変形例］
上記実施形態の変形例をいくつか説明する。
【００３３】
＜基材に設けられた貫通孔の形状、配置等について＞
上記実施形態では、基材１１０に形成される貫通孔１２０は、図５に示したようにその平面形状は円形であり、基材１１０に千鳥配列で一様に配置されている。しかしながら、貫通孔１２０の形状や配置はこれらに限らない。
【００３４】
例えば貫通孔１２０の平面形状は、四角形状であってもよいし、四角形の角が面取りされている形状でもよい。また、貫通孔１２０の平面形状は、例えば図９に示すように十字形状でもよい。
【００３５】
また、貫通孔１２０は、例えば図１０に示すように格子状に整列されていてもよい。また、貫通孔１２０は、基材１１０にランダムに配置されてもよい。また、例えば図１１に示すように発熱体１６０の近傍のみに形成されてもよい。また、例えば図１２Ａに基材１１０のみを示し図１２Ｂに基材１１０と発熱体１６０とを示すように、発熱体１６０の線幅に応じて貫通孔１２０の直径を異なるものとしてもよい。また、例えば高温になる発熱部１６２には貫通孔１２０を設け、それほど温度が上昇しない接続部１６４には貫通孔１２０を設けないこととし、加工コストの低減を図ってもよい。これらの例のように、貫通孔１２０は、基材１１０の一面に一様に形成されなくてもよい。
【００３６】
基材１１０は、発熱体１６０で発生した熱を均一に伝える必要がある。すなわち、貫通孔１２０は、発熱体１６０で発生した熱を均一に逃がす必要がある。したがって、貫通孔１２０は、発熱体１６０に対して一様に配置されていることや、対称な形状を有していることが好ましい。
【００３７】
＜貫通孔以外の形状について＞
気化膨張した水分を逃がすための形状は、貫通孔に限らず、くぼみでもよい。例えば基材１１０の表側からみた平面図を図１３Ａに、図１３Ａ中の１３Ｂ−１３Ｂ線に沿った断面図を図１３Ｂに、基材１１０の裏側から見た平面図を図１３Ｃにそれぞれ示すように、基材１１０には座繰り穴１３０が設けられてもよい。この座繰り穴１３０は、図１３Ｂ及び図１３Ｃに示すように円柱形状でもよいし、円錐形状であってもよい。また、座繰り穴１３０は、四角柱形状や四角錐形状等であってもよい。
【００３８】
座繰り穴１３０が基材１１０に形成されていることで、基材１１０中に含まれている水分が加熱によって急激に気化膨張したとしても、水分は座繰り穴１３０から逃げるため、断熱によって発熱体１６０が溶断したり、発熱体１６０が変形することによる制御不良が生じたりすることが防止され得る。座繰り穴１３０の形状、大きさ、配置等は、貫通孔１２０の場合と同様に種々の形態が採用され得る。
【００３９】
また、くぼみとしての座繰り穴１３０に代えて、基材１１０に溝が形成されてもよい。この溝は、例えば図１４Ａに示すように基材１１０の長手方向に沿って平行に溝１３２が形成されてもよいし、図１４Ｂに示すように基材１１０の短手方向に沿って平行に溝１３２が形成されてもよいし、図１４Ｃに示すように、格子状又は十字状に溝１３２が形成されてもよい。また、溝１３２の形状は、直線に限らず曲線でもよいことはもちろんである。溝形状を採用することで、基材１１０の加工は容易となる。この溝の幅も発熱体１６０の線幅未満であることが好ましい。
【００４０】
ここでは、基材１１０の裏側に座繰り穴１３０や溝１３２が形成されている例を示したが、座繰り穴や溝は基材の表側に形成されていてもよい。この場合、基材に座繰り穴や溝が形成された後、発熱体１６０が形成される。
【００４１】
＜処置具の種類について＞
処置具３１０の構造は上記実施形態に限らない。例えば生体組織の切断を目的とする処置具３１２の例を図１５及び図１６を参照して説明する。この例では、上記実施形態の処置部２５０に相当する処置部２５２は、第１のジョー３２２にのみ設けられている。ここで、処置部２５２の作用部２２２は、図１６に平面図、側面図及び前面図を示すように、生体組織と接する部分が凸型になっている。一方、第２のジョー３２４には、第１のジョー３２２に設けられた作用部２２２と対応するように、凹形状を有する受部材２６０が設けられている。
【００４２】
図１５に示す処置具３１２は次のように動作する。把持部３２０の第１のジョー３２２と第２のジョー３２４とで生体組織が把持される。処置部２５０のヒーター１００に電力が供給されることで、作用部２２２を例えば３００℃といった高温になる。この熱によって、把持部３２０で把持された生体組織は焼き切られる。作用部２２２の生体組織と接する部分が鋭利な形状となっていることで、生体組織は効率よく切断され得る。
【００４３】
なお、受部材２６０に代えて、凹形状の作用部を有する処置部が第２のジョー３２４に設けられ、第１のジョー３２２と第２のジョー３２４との両側から加熱して、把持した生体組織を切断するように把持部３２０が構成されてもよい。
【００４４】
また、マーキングや止血、或は焼き切ることを目的とする処置具３１４の例を、図１７及び図１８を参照して説明する。この例では、処置具３１４は鉗子型ではなくナイフ型である。すなわち、処置具３１４にはジョーが設けられておらず、シャフト３４０の先端から処置部２５４の作用部２２４の先端部分が突出している。作用部２２４の基端側は、シャフト３４０に埋め込まれている。
【００４５】
図１８に示すように、作用部２２４は、先端側の円筒部２２５と基端側の平板部２２６とを含む。円筒部２２５は、針状又はへら状の形状をしており、シャフト３４０から突出している部分となる。平板部２２６は、ヒーター１００が接続されるように平板形状をしており、シャフト３４０に埋め込まれている部分となる。
【００４６】
図１７に示す処置具３１４では、ヒーター１００によって加熱された作用部２２４の円筒部２２５が生体組織に押し当てられ、接触した生体組織にマーキングや止血を施したり、生体組織を焼き切ったりする。
【００４７】
これらの処置具におけるヒーター１００は、上記実施形態で説明したとおり、基材１１０に貫通孔１２０や座繰り穴１３０や溝１３２が形成されており、上記実施形態の効果が得られるように構成されている。
【符号の説明】
【００４８】
１００…ヒーター、１１０…基材、１２０…貫通孔、１３０…座繰り穴、１３２…溝、１６０…発熱体、１６２…発熱部、１６４…接続部、２１０…接着絶縁層、２２０…作用部、２５０…処置部、３００…治療用処置装置、３１０…処置具、３２０…把持部、３２２…第１のジョー、３２４…第２のジョー、３４０…シャフト、３４２…支持ピン、３４４…電線、３５０…ハンドル、３５２…操作ノブ、３６０…ケーブル、３６５…コネクタ、３７０…制御装置、３８０…フットスイッチ。
【図１】
2015179600.tif 000003
【図２】
2015179600.tif 000004
【図３】
2015179600.tif 000005
【図４】
2015179600.tif 000006
【図５】
2015179600.tif 000007
【図６Ａ】
2015179600.tif 000008
【図６Ｂ】
2015179600.tif 000009
【図６Ｃ】
2015179600.tif 000010
【図７Ａ】
2015179600.tif 000011
【図７Ｂ】
2015179600.tif 000012
【図７Ｃ】
2015179600.tif 000013
【図８Ａ】
2015179600.tif 000014
【図８Ｂ】
2015179600.tif 000015
【図９】
2015179600.tif 000016
【図１０】
2015179600.tif 000017
【図１１】
2015179600.tif 000018
【図１２Ａ】
2015179600.tif 000019
【図１２Ｂ】
2015179600.tif 000020
【図１３Ａ】
2015179600.tif 000021
【図１３Ｂ】
2015179600.tif 000022
【図１３Ｃ】
2015179600.tif 000023
【図１４Ａ】
2015179600.tif 000024
【図１４Ｂ】
2015179600.tif 000025
【図１４Ｃ】
2015179600.tif 000026
【図１５】
2015179600.tif 000027
【図１６】
2015179600.tif 000028
【図１７】
2015179600.tif 000029
【図１８】
2015179600.tif 000030